(57)【要約】【課題】警備信号が出力されるまでの時間の短縮を図る。【解決手段】１つの物件において、扉Ａに電気錠２Ａ１，２Ａ２が設置されるとともに、扉Ｂに電気錠２Ｂ１，２Ｂ２が設置される。操作設定手段５Ａ，５Ｂは、警備システムを警備状態にセットするための警備セット信号をオンに設定する。警備信号出力手段６は、操作設定手段５Ａ（又は５Ｂ）にてオンに設定された警備セット信号が入力されると、電気錠２Ａ１，２Ａ２，２Ｂ１，２Ｂ２のそれぞれに施錠指示を出力し、全ての電気錠２Ａ１，２Ａ２，２Ｂ１，２Ｂ２が施錠されていると判断すると警備信号を出力する。【選択図】図１
2017182621.tif 000002
【特許請求の範囲】
【請求項１】
１つの物件における複数の扉の少なくとも１つの扉に複数設置される電気錠と、
警備システムを警備状態にセットするための警備セット信号をオンに設定する操作設定手段と、
前記操作設定手段にてオンに設定された警備セット信号が入力されたときに、前記電気錠のそれぞれに施錠指示を出力し、前記電気錠が全て施錠されているときに警備信号を出力する警備信号出力手段とを備えたことを特徴とする警備信号出力装置。
【請求項２】
前記警備信号出力手段は、前記施錠指示を出力したときを起点とする前後の時間で前記電気錠の施解錠モニタ信号の施錠が設定時間以上連続して維持しているときに前記警備信号を出力することを特徴とする請求項１記載の警備信号出力装置。
【請求項３】
利用者が所有する認証用媒体から認証情報を取得し、この取得した認証情報の正当性を判別する認証情報判別手段を備え、
前記警備信号出力手段から前記警備信号が出力された後、前記認証情報判別手段が前記認証用媒体から取得した認証情報を正常認証して対応する電気錠を解錠したときに前記警報信号の出力を停止することを特徴とする請求項１又は２記載の警備信号出力装置。
【発明の詳細な説明】
【技術分野】
【０００１】
本発明は、例えば個人住宅、集合住宅、小売店舗、商業施設などの各種物件に採用され、１つの物件における複数の扉の少なくとも１つの扉に複数の電気錠を設置し、全ての電気錠が施錠状態のときに、警備会社が運営する警備システムのオン／オフを行うための警備信号を出力する警備信号出力装置に関するものである。
【背景技術】
【０００２】
従来より、空き巣などの犯罪の増加に伴い、小売店舗や商業施設だけに留まらず、個人住宅や集合住宅などの物件においても警備会社が運営する警備システムを導入するケースが増えている。この種の警備システムでは、警備状態にセットされると、物件の警備領域内の様子や扉、窓の状態（開閉状態、破壊の有無状態）を監視カメラや各種センサにより検知し、これら撮像画像や検知信号を集中監視センターでモニタし、警備領域内の異常発生の有無（例えば、不審者の侵入、火災など）を監視している。
【０００３】
ところで、この種の警備システムに連動する錠前としては、下記特許文献１に開示されるような錠前の信号取出し機構を採用した警備信号錠が知られている。警備信号錠は、扉の外側からシリンダ錠の鍵穴にキーを挿入して所定角度（例えば反時計回りに９０°）回転させると施錠し、キーをさらに所定角度（反時計回りに＋４０°）回転させると、警備システムを警備状態にセットするための警備セット信号がオンするようになっている。また、警備信号錠は、警備セット信号がオンにより警備システムが警備状態にセットされた状態で、扉の外側からシリンダ錠の鍵穴にキーを挿入して所定角度（施錠と逆方向の時計回りに９０°）回転させると解錠し、警備セット信号がオンからオフに切り替わるようになっている。
【０００４】
しかしながら、上述した警備信号錠は、通常、１つの物件において外との間で最終的に出入りされる正面玄関扉のみに設置するのが一般的であった。ところが、外との間で出入りが可能な扉を備えた物件には、正面玄関扉以外に勝手口を備えたものや正面玄関扉を含む複数の玄関扉を備えたものがある。この場合、１箇所の正面玄関扉のみに警備信号錠を設置した構成では、警備システムを警備状態にセットする際に、警備信号錠が設置された正面玄関扉以外の扉の錠前を全て施錠した後、最後に正面玄関扉に設置された警備信号錠を施錠して警備セット信号をオンする操作を行う必要がある。このため、警備信号錠が設置された正面玄関扉以外の扉の錠前を全て施錠した後でなければ、警備信号錠を施錠して警備セット信号をオンする操作を行っても警備システムを警備状態にセットすることができない。しかも、外との間で出入りが可能な複数の扉を備えた物件では、警備信号錠が設置された正面玄関扉以外の扉から出入りが行われることもあり、警備信号錠が設置された正面玄関扉以外の扉から最終的に出入りが行われた場合には、警備システムを警備状態にセットすることができず、利用者にとって不便であり、使い勝手も悪かった。
【０００５】
そこで、本件出願人は、上述した使い勝手の問題を解決するため、下記特許文献２に開示される警備信号出力装置を出願している。ここでは、１つの物件の扉Ａと扉Ｂに電気錠が設置され、これら扉Ａと扉Ｂを連動して警備する場合を例にとって特許文献２に開示される警備信号出力装置の概略について説明する。
【０００６】
特許文献２に開示される警備信号出力装置では、例えば扉Ａの警備セット信号がオンに設定されると、もう一方の扉Ｂの施解錠モニタ信号を検知する。そして、施解錠モニタ信号が解錠であれば所定時間（例えば０．５秒）施錠指示し、施錠指示から所定時間（例えば３秒）以内に所定時間（例えば０．１秒）以上施錠状態であれば、外部へ警備信号を出力する。また、警備信号を出力した後、扉Ａ又は扉Ｂの施解錠モニタ信号が解錠になると、警備信号の出力を停止する。
【０００７】
尚、停電時は警備信号の出力を保持する。また、停電復帰時には、警備信号が出力状態であって、扉Ａと扉Ｂの両方で施解錠モニタ信号が施錠であれば警備信号の出力を保持し、扉Ａと扉Ｂの何れかで施解錠モニタ信号が解錠であれば警備信号の出力を停止する。
【先行技術文献】
【特許文献】
【０００８】
【特許文献１】特開２００１−２２７２１５号公報
【特許文献２】特開２０１５−１４１２８号公報
【発明の概要】
【発明が解決しようとする課題】
【０００９】
ところで、従来、１つの扉に複数（例えば２つ）の電気錠を設置した構成の場合、各電気錠の施解錠状態を検知するための施解錠モニタ信号は、図５（ａ）に示すように、全ての電気錠が施錠時にＨレベルを出力する（状態１）。また、複数の電気錠の少なくとも１つが解錠時にはＬレベルとＨレベルを繰り返し出力する。この解錠時の施解錠モニタ信号についてさらに説明すると、１つの扉に主錠と副錠の２つの電気錠が設置された、所謂１ドア２ロックシステムの場合、主錠と副錠の両方の電気錠が解錠であれば、図５（ｂ）に示すように、ｔ１（例えば０．５秒）ごとにＨレベルとＬレベルを繰り返す施解錠モニタ信号（繰り返し周期：ｔＡ）を出力する（状態２）。これに対し、主錠と副錠の両方の電気錠で施解錠が異なれば、図５（ｃ）に示すように、Ｌレベル：ｔ１（例えば０．５秒）＋Ｈレベル：ｔ２（例えば２．５秒）を繰り返す施解錠モニタ信号（繰り返し周期：ｔＢ）を出力する（状態３）。
【００１０】
このように、１つの扉に複数の電気錠が設置されている場合は、解錠時にＨレベルとＬレベルの繰り返しによる施解錠モニタ信号が発生する。ところが、電気錠が解錠中に警備セット信号をオンに設定すると、施解錠モニタ信号のＨレベルが上述した状態１〜３の何れの状態であるか判別することができず、誤って施錠と検出して警備信号を出力する不具合が発生するおそれがあった。
【００１１】
この不具合を防止するため、上述した状態１〜３を判別できるように施解錠モニタ信号における施錠のＨレベルの検出時間を例えば３秒（状態３の繰り返し周期：ｔＢ以上の時間）に延ばした場合、状態３を判別する際には、最長２．５秒のＨレベルを検出した後、Ｌレベルとなったことで状態３を判別して施錠指示する。ところが、この場合、施錠指示から施錠状態を判別するために更に３秒待たなければならず、警備信号を出力するまでに遅れが発生する。その結果、警備信号を出力してから実際に警備を開始するまでに余計な時間が必要になるという課題があった。
【００１２】
また、上述した警備信号錠を採用した構成では、警備信号の出力を解除するときに、状態検知手段からの検知信号により電気錠が解錠か否かの判別を行うため、ピッキングによる不正解錠なのか、正当な利用者による正常解錠なのかを識別することが困難であり、不正解錠時に警備信号の出力が解除されるおそれがあった。
【００１３】
そこで、本発明は上記問題点に鑑みてなされたものであり、警備信号が出力されるまでの時間の短縮を図ることができる警備信号出力装置を提供することを目的とするものである。
【課題を解決するための手段】
【００１４】
上記した目的を達成するために、請求項１に記載された警備信号出力装置は、１つの物件における複数の扉の少なくとも１つの扉に複数設置される電気錠と、
警備システムを警備状態にセットするための警備セット信号をオンに設定する操作設定手段と、
前記操作設定手段にてオンに設定された警備セット信号が入力されたときに、前記電気錠のそれぞれに施錠指示を出力し、全ての電気錠が施錠されているときに警備信号を出力する警備信号出力手段とを備えたことを特徴とする。
【００１５】
請求項２に記載された警備信号出力装置は、請求項１の警備信号出力装置において、
前記警備信号出力手段は、前記施錠指示を出力したときを起点とする前後の時間で前記電気錠の施解錠モニタ信号の施錠が設定時間以上連続して維持しているときに前記警備信号を出力することを特徴とする。
【００１６】
請求項３に記載された警備信号出力装置は、請求項１又は２の警備信号出力装置において、
利用者が所有する認証用媒体から認証情報を取得し、この取得した認証情報の正当性を判別する認証情報判別手段を備え、
前記警備信号出力手段から前記警備信号が出力された後、前記認証情報判別手段が前記認証用媒体から取得した認証情報を正常認証して対応する電気錠を解錠したときに前記警報信号の出力を停止することを特徴とする。
【発明の効果】
【００１７】
本発明によれば、警備システムを警備状態にセットするための警備セット信号がオンしたときに、全ての電気錠に施錠指示を出力するので、警備セット信号がオンした時点の施解錠状態に関係なく全ての電気錠に施錠指示を出力し、解錠状態の電気錠を自動的に施錠させて警備信号の出力までの待ち時間を短縮することができる。
【００１８】
また、電気錠（警備セットされた扉の電気錠を含む）からの施解錠モニタ信号の施錠が設定時間以上連続して維持しているときに警備信号を出力するので、既に施錠が完了している場合は警備信号が出力されるまでの待ち時間を短縮することができる。
【００１９】
さらに、警備信号が出力されている状態で、利用者が所有する認証用媒体から認証情報を取得して正常認証したときに、電気錠を解錠するとともに、警備信号の出力をオンからオフに切り替えて警備信号の出力を停止するので、例えばピッキングなどの不正解錠を防止することができる。
【図面の簡単な説明】
【００２０】
【図１】本発明に係る警備信号出力装置の概略構成を示すブロック図である。
【図２】図１の警備信号出力装置において扉Ａと扉Ｂにおいて共通に設けられる構成のブロック構成図である。
【図３】本発明に係る警備信号出力装置の警備信号の出力時における動作フローチャートである。
【図４】本発明に係る警備信号出力装置の警備信号の出力停止時における動作フローチャートである。
【図５】（ａ）１つの扉に２つの電気錠が設置された１ドア２ロックシステムにおいて、２つの電気錠がともに施錠状態のときの施解錠モニタ信号の一例を示す波形である。  （ｂ）２つの電気錠がともに解錠状態のときの施解錠モニタ信号の一例を示す波形である。  （ｃ）２つの電気錠で施解錠状態が異なるときの施解錠モニタ信号の一例を示す波形である。
【発明を実施するための形態】
【００２１】
以下、本発明を実施するための形態について、添付した図面を参照しながら詳細に説明する。
【００２２】
本発明に係る警備信号出力装置１は、例えば個人住宅、集合住宅、小売店舗、商業施設などの各種物件に採用され、１つの物件における複数の扉の少なくとも１つの扉に複数の電気錠を設置し、全ての電気錠が施解錠状態のときに、警備会社が運営する警備システムのオン／オフを行うための警備信号を出力するものである。
【００２３】
本実施の形態の警備信号出力装置１は、図１に示すように、電気錠２（２Ａ１，２Ａ２／２Ｂ１，２Ｂ２）、状態検知手段３（３Ａ，３Ｂ）、認証情報判別手段４（４Ａ，４Ｂ）、操作設定手段５（５Ａ，５Ｂ）、警備信号出力手段６を備えて概略構成される。以下、各構成について説明する。
【００２４】
電気錠２は、例えば個人住宅、集合住宅、小売店舗、商業施設などの１つの物件における複数の扉に適宜設置される。例えば外との間で出入りが可能な複数の扉（例えば玄関扉、勝手口など）のそれぞれに複数の電気錠２を設置する。図１の例では、１つの物件に扉Ａと扉Ｂが設けられ、扉Ａに電気錠２Ａ１，２Ａ２を設置し、扉Ｂに電気錠２Ｂ１，２Ｂ２を設置した状態を示している。
【００２５】
状態検知手段３は、扉Ａの開閉状態と電気錠２Ａ１，２Ａ２の施解錠状態を検知する状態検知手段３Ａと、扉Ｂの開閉状態と電気錠２Ｂ１，２Ｂ２の施解錠状態を検知する状態検知手段３Ｂからなる。状態検知手段３（３Ａ，３Ｂ）は、図２に示すように、扉開閉検知手段３ａと施解錠検知手段３ｂを備えている。
【００２６】
扉開閉検知手段３ａは、扉Ａ（又は扉Ｂ）の開閉を検知するマイクロスイッチなどで構成され、扉Ａ（又は扉Ｂ）の開閉状態に応じた状態信号を出力する。すなわち、扉開閉検知手段３ａは、扉Ａ（又は扉Ｂ）が開いているときに、開扉状態を示す開モニタ信号を状態信号として操作設定手段５に出力する。これに対し、扉Ａ（又は扉Ｂ）が閉じているときには、閉扉状態を示す閉モニタ信号を状態信号として操作設定手段５に出力する。
【００２７】
施解錠検知手段３ｂは、電気錠２のデッドボルトの動きを検知するマイクロスイッチなどで構成され、電気錠２の施解錠状態に応じた状態信号を出力する。すなわち、施解錠検知手段３ｂは、電気錠２が施錠しているときに、施錠状態を示す施錠モニタ信号を状態信号として操作設定手段５に出力する。これに対し、電気錠２が解錠しているときは、解錠状態を示す解錠モニタ信号を状態信号として操作設定手段５に出力する。
【００２８】
認証情報判別手段４は、扉Ａ側に設けられる認証情報判別手段４Ａと、扉Ｂ側に設けられる認証情報判別手段４Ｂからなる。認証情報判別手段４（４Ａ，４Ｂ）は、図２に示すように、認証情報取得部４ａと制御部４ｂを備えている。
【００２９】
認証情報取得部４ａは、例えば扉Ａ，Ｂや扉Ａ，Ｂの近傍（例えば壁面など）などに設置されるリーダで構成され、利用者が所有する認証用媒体７の認証情報（例えば利用者や認証用媒体を特定する固有情報など）を近距離非接触無線通信により取得して制御部４ｂに出力する。
【００３０】
制御部４ｂは、認証情報取得部４ａと配線接続される制御盤として例えば室内に設置され、認証情報取得部４ａが取得した認証情報の正当性を判別し、正常認証したときに解錠信号（無電圧ａ接点信号）を該当する操作設定手段５（５Ａ又は５Ｂ）及び警備信号出力手段６に出力する。
【００３１】
なお、認証用媒体７は、電気錠２（２Ａ１，２Ａ２／２Ｂ１，２Ｂ２）の施錠／解錠が許可された利用者が所有するものであり、認証情報取得部４ａとの間の近距離無線通信により認証情報を送信できるものであればよい。具体的には、例えばＩＣキー、ＩＣタグ、非接触型ＩＣカード（ＦｅｌｉＣａ（登録商標））、携帯電話、スマートフォン、ウェアラブル端末などで認証用媒体７を構成することができる。
【００３２】
操作設定手段５は、扉Ａ側に設けられる操作設定手段５Ａと、扉Ｂ側に設けられる操作設定手段５Ｂからなる。操作設定手段５（５Ａ，５Ｂ）は、例えば室内に設置され、操作手段５ａ、表示手段５ｂ、制御手段５ｃを備えた操作表示器で構成される。
【００３３】
操作手段５ａは、例えば施錠／解錠を指示する上下操作ボタンから構成され、上下操作ボタンの所定操作により、電気錠２の施錠後に警備システムを警備状態にセットするための警備セット信号をオンする。警備セット信号をオンする具体的な方法としては、操作手段５ａの上下操作ボタンの一方の操作ボタンを押し続けて施錠を指示し、一方の操作ボタンを押したまま利用者が認証用媒体７をかざす方法、利用者が認証用媒体７を携帯して操作手段５ａの上下操作ボタンの一方の操作ボタンを押し続けて施錠を指示する方法などがある。
【００３４】
表示手段５ｂは、例えば液晶表示器などで構成され、制御手段５ｃの制御により、施錠／解錠の誘導表示や状態表示、エラー出力（異常時におけるメッセージ表示や音声出力、警告音出力）などを行う。
【００３５】
制御手段５ｃは、操作手段５ａの施錠操作に基づく警備セット信号：オンを警備信号出力手段６に出力制御する。また、制御手段５ｃは、図５（ａ），（ｂ），（ｃ）に示すように、施解錠検知手段３からの状態信号に基づく施解錠モニタ信号を警備信号出力手段６に出力制御する。
【００３６】
すなわち、閉扉を条件として、電気錠２Ａ１，２Ａ２（又は２Ｂ１，２Ｂ２）が施錠しているときに、図５（ａ）に示すようなＨレベルの施解錠モニタ信号を出力する。また、電気錠２Ａ１，２Ａ２（又は２Ｂ１、２Ｂ２）の両方が解錠しているときに、図５（ｂ）に示すようなｔ１（例えば０．５秒）ごとにＨレベルとＬレベルを繰り返す施解錠モニタ信号（繰り返し周期：ｔＡ）を出力する。さらに、電気錠２Ａ１，２Ａ２（又は２Ｂ１、２Ｂ２）の両方で施解錠が異なるときに、図５（ｃ）に示すようなＬレベル：ｔ１（例えば０．５秒）＋Ｈレベル：ｔ２（例えば２．５秒）を繰り返す施解錠モニタ信号（繰り返し周期：ｔＢ）を出力する。
【００３７】
さらに、制御手段５ｃは、警備信号出力手段６から施錠指示が入力されたときに、電気錠２（２Ａ１，２Ａ２／２Ｂ１，２Ｂ２）に施錠信号を出力制御する。また、制御手段５ｃは、認証情報判別手段４Ａ（又は４Ｂ）から解錠信号が入力されたときに、電気錠２Ａ１，２Ａ２（又は２Ｂ１、２Ｂ２）を解錠制御する。
【００３８】
警備信号出力手段６は、認証情報判別手段４Ａ，４Ｂ、操作設定手段５Ａ，５Ｂとの間が有線又は無線により通信可能にアダプタ接続されるとともに、不図示の警備システムの操作パネルとして屋内に設置されるインターホン親機との間が有線又は無線により通信可能に接続される。
【００３９】
警備信号出力手段６は、各扉Ａ，Ｂ毎に設置される操作設定手段５Ａ，５Ｂからの施解錠モニタ信号及び警備セット信号：オンに基づいて警備システムを警備状態にセットするための警備信号を出力するもので、判別手段６ａ、出力制御手段６ｂ、記憶手段６ｃを備えている。
【００４０】
判別手段６ａは、信号状態判別として、操作設定手段５Ａ，５Ｂから入力される施解錠モニタ信号により扉Ａと扉Ｂの電気錠２Ａ１，２Ａ２／２Ｂ１，２Ｂ２の施解錠状態を判別するとともに、出力制御手段６ｃによる警備信号出力の状態（オン／オフ）を判別する。
【００４１】
また、判別手段６ａは、施解錠モニタ信号が施錠のときにスタートする施錠カウンタを備えている。施錠カウンタは、設定時間Ｔ（電気錠２Ａ１，２Ａ２／２Ｂ１，２Ｂ２の施錠／解錠を識別するために必要な最小時間：例えば３秒）以上連続して施錠状態維持のときに出力：１を継続し、設定時間Ｔ未満又は解錠状態のときに出力：０にする。
【００４２】
さらに、判別手段６ａは、警備信号出力：オフの状態で、扉Ａの操作設定手段５Ａと扉Ｂの操作設定手段５Ｂからの警備セット信号：オンの入力の有無によって扉Ａ又は扉Ｂが警備セットされたか否かを判別する。
【００４３】
また、判別手段６ａは、扉Ａ（又は扉Ｂ）が警備セットされたと判断したときに、施錠カウンタの出力に基づいて扉Ｂ（又は扉Ａ）の施錠状態が設定時間Ｔ（例えば３秒）以上連続して維持しているか否かを判別する。
【００４４】
さらに、判別手段６ａは、扉Ｂ（又は扉Ａ）の施錠状態が設定時間Ｔ以上連続して維持していないと判断したときに、その回数が設定回数（例えば３回）を超えたか否かを判別する。
【００４５】
また、判別手段６ａは、警備信号出力：オンの状態で、扉Ａ（又は扉Ｂ）で認証用媒体７を用いて解錠操作が行われ、扉Ａ（又は扉Ｂ）の認証情報判別手段４Ａ（又は４Ｂ）から解錠信号が入力されたか否かを判別する。
【００４６】
さらに、判別手段６ａは、警備信号出力：オンの状態で、扉Ａの操作設定手段５Ａと扉Ｂの操作設定手段５Ｂの警備セット信号がオフし、扉Ａ及び扉Ｂの警備セットが解除されたか否かを判別する。
【００４７】
出力制御手段６ｂは、警備信号出力：オフの状態で、扉Ａ（又は扉Ｂ）が警備セットされたと判別手段６ａが判断したときに、扉Ｂ（扉Ａ）の操作設定手段５Ａ（５Ｂ）に施錠指示を出力する。
【００４８】
また、出力制御手段６ｂは、警備信号出力：オフの状態で、扉Ｂ（扉Ａ）の施錠状態が設定時間Ｔ以上連続して維持していると判別手段６ａが判断したときに、警備信号出力をオフからオンに切り替えて警備信号を出力する。
【００４９】
さらに、出力制御手段６ｂは、警備信号出力：オンの状態で、扉Ａ（又は扉Ｂ）の認証情報判別手段４Ａ（又は４Ｂ）から解錠信号が入力されたと判別手段６ａが判断したときに、警報信号出力をオンからオフに切り替えて警備信号の出力を停止する。
【００５０】
また、出力制御手段６ｂは、警備信号出力：オンの状態で、扉Ａと扉Ｂの両方とも警備セットなしと判別手段６ａが判断したときに、警報信号出力をオンからオフに切り替えて警備信号の出力を停止する。
【００５１】
記憶手段６ｃは、状態検知手段３から操作設定手段５を介して常時入力される検知信号（扉開閉モニタ信号、施解錠モニタ信号）により、現在の扉Ａ，Ｂの開閉状態及び電気錠２Ａ１，２Ａ２／２Ｂ１，２Ｂ２の施解錠状態、所定時間前から現在までの扉Ａ，Ｂの開閉状態及び電気錠２Ａ１，２Ａ２／２Ｂ１，２Ｂ２の施解錠状態を逐次更新記憶している。また、記憶手段６ｃは、出力制御手段６ｂが出力している現在の警備信号出力のオン／オフ状態を記憶保持している。
【００５２】
尚、記憶手段６ｃは、停電時において、停電直前の扉Ａ，Ｂの開閉状態、電気錠２Ａ１，２Ａ２／２Ｂ１，２Ｂ２の施解錠状態、警備信号出力のオン／オフ状態を記憶保持している。そして、出力制御手段６ｂは、停電復帰時に、記憶手段６ｃに記憶保持された情報に基づき、警備信号出力がオンであれば施解錠モニタによらず警備信号出力がオンの状態を保持し、扉Ａ及び扉Ｂが共に警備セット解除であれば警備信号出力をオンからオフに切り替える。
【００５３】
ところで、本例において、１つの物件とは、個人住宅、集合住宅、小売店舗、商業施設などの建物全体、又は建物の各戸を意味している。
【００５４】
また、本例では、図１に示すように、１つの物件において外との間で出入りが可能な扉を扉Ａと扉Ｂの２つとし、それぞれの扉Ａ，Ｂに２つの電気錠２Ａ１，２Ａ２／２Ｂ１，２Ｂ２を設置した場合を例にとって説明したが、１つの扉に３つ以上の電気錠が設置された構成であってもよい。
【００５５】
次に、上述した警備信号出力装置１において、警備システムを警備状態にセットする場合と警備システムの警備状態のセットを解除する場合の動作について図３及び図４のフローチャートを参照しながら説明する。ここでは、１つの物件において、外との間で出入りが可能な扉が扉Ａと扉Ｂの２つであって、扉Ａに電気錠２Ａ１，２Ａ２を設置し、扉Ｂに電気錠２Ｂ１，２Ｂ２を設置した場合を例にとって説明する。
【００５６】
・警備システムを警備状態にセットする場合の動作
まず、信号状態判別（ＳＴ１）として、操作設定手段５Ａ，５Ｂからの施解錠モニタ信号により現在における扉Ａと扉Ｂの電気錠２Ａ１，２Ａ２／２Ｂ１，２Ｂ２の状態を判別するとともに、出力制御手段６ｂからの警備信号出力の状態（オン／オフ）を判別する。尚、以下の説明では、扉Ａ，扉Ｂが何れも閉扉状態であることを条件とする。
【００５７】
ＳＴ１の信号状態判別によって施解錠モニタ信号を施錠と判断すると、施錠カウンタをスタートする（ＳＴ２）。施錠カウンタは、設定時間Ｔ（例えば３秒）以上連続して施錠状態を維持しているときに出力：１を継続する。これに対し、設定時間Ｔ未満、又は解錠状態のときは出力：０となる。
【００５８】
施錠カウンタがスタートすると、警備信号出力が出力中（オン）か否かを判別する（ＳＴ３）。警備信号出力が出力中であると判断すると、そのまま警備信号出力：オンを維持する。警備信号出力が出力中でないと判断すると、扉Ａ（又は扉Ｂ）で警備セットされたか否かを判別する（ＳＴ４）。扉Ａと扉Ｂの何れも警備セットされていないと判断すると、ＳＴ３の処理に戻る。
【００５９】
扉Ａ（又は扉Ｂ）で警備セットされていると判断すると、扉Ｂ（又は扉Ａ）に施錠指示を出力する（ＳＴ５）。尚、扉Ａ（又は扉Ｂ）からの警備セットの操作は扉Ａ（又は扉Ｂ）が閉扉施錠の場合のみ出力される。
【００６０】
そして、扉Ｂ（又は扉Ａ）が設定時間Ｔ以上連続して施錠状態を維持しているか否かを判別する（ＳＴ６）。この施錠状態を維持しているか否かの判別は、施錠カウンタの出力によって行われる。すなわち、施錠カウンタの出力が１であれば、扉Ｂ（又は扉Ａ）が設定時間Ｔ以上連続して施錠状態を維持していると判断する。また、施錠カウンタの出力が０であれば、扉Ｂ（又は扉Ａ）が設定時間Ｔ以上連続して施錠状態を維持していないと判断する。
【００６１】
そして、扉Ｂ（又は扉Ａ）が設定時間Ｔ以上連続して施錠状態を維持していると判断すると、警備信号出力を「オフ」から「オン」に切り替えて警備信号を出力する（ＳＴ７）。すなわち、施錠指令を出力した時間と起点とする前後の所定時間（設定時間Ｔより長い時間）内において、扉Ｂ（又は扉Ａ）が設定時間Ｔ以上連続して施錠状態を維持されていると判断したときに警備信号を出力する。
【００６２】
これに対し、扉Ｂ（又は扉Ａ）が設定時間Ｔ以上連続して施錠状態を維持していないと判断すると、施錠状態を維持していない状態が設定回数（例えば３回）を超えたか否かを判別する（ＳＴ８）。そして、施錠状態を維持していない状態が設定回数を超えていないと判断すると、ＳＴ３の処理に戻る。
【００６３】
また、施錠状態を維持していない状態が設定回数を超えたと判断すると、何らかの原因で扉Ｂ（又は扉Ａ）の施錠状態が維持できていない異常状態と判断し、エラー出力する（ＳＴ９）。このエラー出力があると、例えば扉Ｂ（又は扉Ａ）の電気錠に異常が発生していることをメッセージ表示や音声出力により利用者に知らせる。
【００６４】
・警備システムの警備状態のセットを解除する場合の動作
まず、認証用媒体７を用いた認証情報判別手段４Ａ（又は４Ｂ）による解錠操作があるか否かを判別する（ＳＴ１１）。認証情報判別手段４Ａ（又は４Ｂ）から警備信号出力手段６に解錠信号が入力され、認証用媒体７を用いた認証情報判別手段４Ａ（又は４Ｂ）による解錠操作があると判断すると、警備信号出力を「オン」から「オフ」に切り替えて警報信号の出力を停止する（ＳＴ１２）。これに対し、認証情報判別手段４Ａ（又は４Ｂ）から警備信号出力手段６に解錠信号が入力されず、認証用媒体７を用いた認証情報判別手段４Ａ（又は４Ｂ）による解錠操作がないと判断すると、扉Ａ，Ｂが警備セットか否かを判別する（ＳＴ１３）。扉Ａ，Ｂ共に警備セットなしと判断すると、警備信号出力を「オン」から「オフ」に切り替えて警報信号の出力を停止する（ＳＴ１３）。これに対し、扉Ａ，Ｂの少なくとも一方で警備セットありと判断すると、ＳＴ３の処理に移行する。
【００６５】
このように、本例の警備信号出力装置１は、警備システムを警備状態にセットするための警備セット信号がオンしたときに、警備信号出力手段６が全ての電気錠２（２Ａ，２Ｂ）に施錠指示を出力する。これにより、警備セット信号がオンした時点の施解錠状態に関係なく全ての電気錠に施錠指示を出力し、解錠状態の電気錠を自動的に施錠させて警備信号の出力までの待ち時間を短縮することができる。
【００６６】
また、警備信号出力手段６は、施錠指令を出力した時間と起点とする前後の所定時間において、電気錠２（警備セットされた扉の電気錠を含む）からの施解錠モニタ信号の施錠が設定時間Ｔ（例えば３秒）以上連続して維持しているときに警備信号を出力するので、既に施錠が完了している場合は警備信号が出力されるまでの待ち時間を短縮することができる。
【００６７】
さらに、警備信号が出力されている状態で、利用者が所有する認証用媒体７から認証情報を取得して正常認証したときに、電気錠を解錠するとともに、警備信号の出力をオンからオフに切り替えて警備信号の出力を停止するので、例えばピッキングなどの不正解錠を防止することができる。
【００６８】
ところで、上述した実施の形態では、１つの物件において扉Ａと扉Ｂにそれぞれ２つの電気錠２が設置されたものとして説明したが、これに限定されるものではない。例えば１つの物件において外との間で出入りする頻度が多い扉（警備セットを行う側の扉）のみに１つの電気錠２を設置し、それ以外の扉（警備セットを行わない側の扉）に複数の電気錠を設置する構成（図１において電気錠２Ａ２を省いた構成）としてもよい。この場合、出入りの頻度が多い扉側の操作設定手段５から警備セットを行えば、上述した実施の形態と同様の効果を奏する。また、複数の電気錠が設置された扉側の操作設定手段５から警備セットに必要な構成を省くことができる。
【００６９】
また、上述した実施の形態では、認証情報判別手段４（４Ａ又は４Ｂ）の認証情報取得部４ａが認証用媒体７から取得した認証情報を制御部４ｂが正常認証したときに、操作設定手段５（５Ａ又は５Ｂ）及び警備信号出力手段６に解錠信号を出力し、この解錠信号の入力によって操作設定手段５が施錠状態の電気錠２を解錠制御する構成としているが、認証情報判別手段４（４Ａ又は４Ｂ）の制御部４ｂが施錠状態の電気錠２を解錠制御してもよい。
【００７０】
以上、本発明に係る警備信号出力装置１の最良の形態について説明したが、この形態による記述及び図面により本発明が限定されることはない。すなわち、この形態に基づいて当業者等によりなされる他の形態、実施例及び運用技術などはすべて本発明の範疇に含まれることは勿論である。
【符号の説明】
【００７１】
１  警備信号出力装置
２（２Ａ１，２Ａ２／２Ｂ１，２Ｂ２）  電気錠
３（３Ａ，３Ｂ）  状態検知手段
３ａ  扉開閉状態検知手段
３ｂ  施解錠状態検知手段
４（４Ａ，４Ｂ）  認証情報判別手段
４ａ  認証情報取得部
４ｂ  制御部
５（５Ａ，５Ｂ）  操作設定手段
５ａ  操作手段
５ｂ  表示手段
５ｃ  制御手段
６  警備信号出力手段
６ａ  判別手段
６ｂ  出力制御手段
６ｃ  記憶手段
７  認証用媒体
【図１】
2017182621.tif 000003
【図２】
2017182621.tif 000004
【図３】
2017182621.tif 000005
【図４】
2017182621.tif 000006
【図５】
2017182621.tif 000007